(57)【要約】【課題】ユーザが、実際に当該の場所に出かけて、または自宅などに居ながら、当該の場所での他の人の状況や状態を体験して、その人との間に緩やかな繋がりを感じることができ、または当該の場所での過去の自分の状況や状態を追体験して、思い出を想起することができるようにする。【解決手段】ユーザ端末で現在位置が計測または指示され、サーバに送信されたとき、サーバは、その現在位置に対して一定の距離内の位置で撮影された写真の画像情報、撮影位置を示す情報、および撮影時の撮影者の生体情報を当該ユーザ端末に送信する。当該ユーザ端末では、その送信された情報を、空間表現によって表示し、または振動や光の点滅によって呈示する。【選択図】図９
2009187233.tif 000002
【特許請求の範囲】
【請求項１】
位置情報によって特定される対象位置での人の行動または状況によって得られた情報を複数、それぞれ呈示対象情報として、それぞれ上記位置情報を付加して、記憶装置に記録する工程と、
ユーザの要求によって、現在位置として計測または指示された位置と上記対象位置との間の物理的距離を判断要素の少なくとも１つとする判断基準に従って、上記記憶装置に記録されている複数の呈示対象情報の中から、１つまたは複数の呈示対象情報を選択する工程と、
その選択された呈示対象情報を、情報呈示手段によって呈示する工程と、
を備えることを特徴とする情報呈示方法。
【請求項２】
請求項１の情報呈示方法において、
上記記録工程は、それぞれのユーザ端末がネットワークを介して接続されるサーバが、それぞれのユーザ端末から送信された情報を受信することによって実行し、
上記選択工程は、上記サーバが上記ユーザのユーザ端末からの要求に応じて実行し、
上記呈示工程は、上記ユーザのユーザ端末が上記サーバから送信された情報を受信することによって実行する、
ことを特徴とする情報呈示方法。
【請求項３】
請求項２の情報呈示方法において、
上記選択工程では、上記判断要素の１つとして、上記ユーザと上記対象位置に居る人または居た人との間の親密度を用いて、上記物理的距離が同じ複数の人の間では上記親密度が高い方の人に係る呈示対象情報を優先的に選択することを特徴とする情報呈示方法。
【請求項４】
請求項１の情報呈示方法において、
上記記録工程、上記選択工程および上記呈示工程は、上記ユーザのユーザ端末が実行することを特徴とする情報呈示方法。
【請求項５】
請求項１の情報呈示方法において、
上記呈示対象情報の少なくとも１つは、上記対象位置で撮影された写真であることを特徴とする情報呈示方法。
【請求項６】
請求項５の情報呈示方法において、
上記呈示工程では、表示画面上に地図を表示して、その地図上の上記対象位置に、当該対象位置で写真が撮影されたことを示すアイコン、または当該対象位置で写真を撮影した人を示すキャラクタを表示し、上記表示画面上の上記地図上または上記地図外の部分に、その撮影された写真を表示することを特徴とする情報呈示方法。
【請求項７】
請求項５の情報呈示方法において、
上記呈示工程では、表示画面上のある座標位置を中心位置として、その中心位置に対して、上記対象位置の上記現在位置に対する方位に応じた方向の、上記物理的距離に応じた距離の座標位置に、当該対象位置で写真が撮影されたことを示すアイコン、または当該対象位置で写真を撮影した人を示すキャラクタを表示し、上記表示画面上に、その撮影された写真を表示することを特徴とする情報呈示方法。
【請求項８】
請求項１の情報呈示方法において、
上記呈示対象情報の少なくとも１つは、上記対象位置に居る人または居た人の生体情報であることを特徴とする情報呈示方法。
【請求項９】
請求項８の情報呈示方法において、
上記呈示工程では、表示画面上に地図を表示して、その地図上の上記対象位置に、当該対象位置に居る人または居た人を示すキャラクタ、または当該対象位置に居る人または居た人の上記生体情報から判断される感情または状態を示すアイコンを表示することを特徴とする情報呈示方法。
【請求項１０】
請求項８の情報呈示方法において、
上記呈示工程では、表示画面上のある座標位置を中心位置として、その中心位置に対して、上記対象位置の上記現在位置に対する方位に応じた方向の、上記物理的距離に応じた距離の座標位置に、当該対象位置に居る人または居た人を示すキャラクタ、または当該対象位置に居る人または居た人の上記生体情報から判断される感情または状態を示すアイコンを表示することを特徴とする情報呈示方法。
【請求項１１】
請求項８の情報呈示方法において、
上記呈示工程では、表示画面上のある座標位置を中心位置として、その中心位置に、上記ユーザの生体情報から判断される上記ユーザの感情または状態を示すアイコンを表示し、上記中心位置に対して、それぞれ生体情報から判断される感情または状態が上記ユーザの感情または状態と同じ人についての対象位置の、上記現在位置に対する方位に応じた方向の、上記物理的距離に応じた距離の座標位置に、上記ユーザと同じ感情または状態の人が居ること、または居たことを示すアイコンを表示することを特徴とする情報呈示方法。
【請求項１２】
請求項８の情報呈示方法において、
上記呈示工程では、上記生体情報を振動または光の点滅によって呈示することを特徴とする情報呈示方法。
【請求項１３】
ネットワークを介してサーバに接続して、当該サーバに情報を送信し、当該サーバから送信された情報を受信する通信部と、情報呈示手段と、制御部とを備え、
上記サーバは、位置情報によって特定される対象位置での人の行動または状況によって得られた情報を複数、それぞれ呈示対象情報として、それぞれ上記位置情報を付加して、データベースに記録するものであり、
上記制御部は、ユーザの要求によって、現在位置として計測または指示された位置を示して、上記通信部によって上記サーバに、呈示対象情報の送信を要求するとともに、その要求に応答して上記サーバにおいて、上記現在位置と上記対象位置との間の物理的距離を判断要素の少なくとも１つとする判断基準に従って、上記データベースに記録されている複数の呈示対象情報の中から選択され、送信された１つまたは複数の呈示対象情報を、上記通信部によって受信して、上記情報呈示手段によって呈示する、
ことを特徴とする情報呈示装置。
【請求項１４】
位置情報によって特定される対象位置での人の行動または状況によって得られた情報が複数、それぞれ呈示対象情報として、それぞれ上記位置情報が付加されて記録されるデータベースと、制御部と、通信部とを備えるサーバであって、
上記制御部は、ネットワークを介して当該サーバと接続されたユーザ端末からの要求によって、そのユーザ端末で現在位置として計測または指示された位置と上記対象位置との間の物理的距離を判断要素の少なくとも１つとする判断基準に従って、上記データベースに記録されている複数の呈示対象情報の中から、１つまたは複数の呈示対象情報を選択し、上記通信部によって上記ユーザ端末に送信することを特徴とするサーバ。
【請求項１５】
位置情報によって特定される対象位置での人の行動または状況によって得られた情報が複数、それぞれ呈示対象情報として、それぞれ上記位置情報が付加されて記録される記憶装置部と、情報呈示手段と、制御部とを備え、
上記制御部は、ユーザの要求によって、現在位置として計測または指示された位置と上記対象位置との間の物理的距離を判断要素の少なくとも１つとする判断基準に従って、上記記憶装置部に記録されている複数の呈示対象情報の中から、１つまたは複数の呈示対象情報を選択し、上記情報呈示手段によって呈示する、
ことを特徴とする情報呈示装置。
【発明の詳細な説明】
【技術分野】
【０００１】
この発明は、写真や人の生体情報などの情報を呈示する方法および装置、および情報呈示のために情報を収集し提供するサーバに関する。
【背景技術】
【０００２】
ユーザが、街中や旅行先などで撮影した写真を、画像情報としてＰＣ（Ｐｅｒｓｏｎａｌ  Ｃｏｍｐｕｔｅｒ）や記録メディアなどに記録しておき、数日後、数月後、数年後などに、その写真画像情報を呼び出し、写真を表示して、撮影当時の状況や感動を思い出すことは、一般的に行われている。
【０００３】
また、人の脈拍や呼吸などの生体情報は、医療的な診断のためだけでなく、人の感情などを示すものとして、画像や音楽などのコンテンツに準じる情報としても利用されている。
【０００４】
例えば、特許文献１（特開２００４−２１９９１４号公報）には、コンサート会場やライブ会場などの雰囲気を再現するために、音楽や映像の情報に演奏者や出演者の生体情報を多重して情報を伝送し、受信側で生体情報によって視聴者に感覚的な刺激を与えることが示されている。
【０００５】
また、特許文献２（特開２００７−２８０４８５号公報）には、コンテンツ再生時のユーザの生体情報を、ユーザの感情の変化を示すものとして測定して記録媒体に記録し、その記録媒体から再生した生体情報に応じて再生態様を変化させて、コンテンツを再生することが示されている。
【０００６】
上に挙げた先行技術文献は、以下の通りである。
【特許文献１】特開２００４−２１９９１４号公報
【特許文献２】特開２００７−２８０４８５号公報
【発明の開示】
【発明が解決しようとする課題】
【０００７】
上記のように、写真画像情報を再生し、写真を表示することによって、ユーザは、自分が過去に体験した状況や状態を追体験することができる。
【０００８】
しかしながら、単に写真画像情報を再生し、写真を表示するだけでは、ある地域内の各場所で写真を撮影したときの、各場所での各写真ごとの状況や状態を、十分に追体験することは難しい。
【０００９】
ユーザ自身ではなく、他の人が過去に体験した、または現に体験している状況や状態を、ユーザが体験しようとする場合にも、単に、ユーザが他の人から、他の人が撮影した写真の画像情報を受信して、写真を表示するだけでは、各場所での各写真ごとの状況や状態を、十分に追体験することができない。
【００１０】
さらに、ユーザが、例えば、街中や旅行先などで、自分と同じ感情を持っている、または持っていた人を見つけ、その人との間に緩やかな繋がりを感じたいと思っても、単に他の人との間で情報を送受する方法では、実現が困難である。
【００１１】
そこで、この発明は、ユーザが、実際に当該の場所に出かけて、または自宅などに居ながら、当該の場所での他の人の状況や状態を体験して、その人との間に緩やかな繋がりを感じることができ、または当該の場所での過去の自分の状況や状態を追体験して、思い出を想起することができるようにしたものである。
【課題を解決するための手段】
【００１２】
この発明の情報呈示方法は、
位置情報によって特定される対象位置での人の行動または状況によって得られた情報を複数、それぞれ呈示対象情報として、それぞれ上記位置情報を付加して、記憶装置に記録する工程と、
ユーザの要求によって、現在位置として計測または指示された位置と上記対象位置との間の物理的距離を判断要素の少なくとも１つとする判断基準に従って、上記記憶装置に記録されている複数の呈示対象情報の中から、１つまたは複数の呈示対象情報を選択する工程と、
その選択された呈示対象情報を、情報呈示手段によって呈示する工程と、
を備えることを特徴とする。
【００１３】
上記の情報呈示方法では、例えば、記録工程では、当該ユーザとは別の人が各場所で撮影した写真や、その撮影時の撮影者の生体情報が、それぞれ呈示対象情報として、それぞれ撮影場所（対象位置）を特定する位置情報が付加されて、サービス提供者のサーバ上のデータベースに記録される。
【００１４】
そして、選択工程では、当該ユーザの端末で現在位置が計測され、または当該ユーザによって任意の位置が現在位置として指示された上で、当該ユーザの端末からサーバに呈示対象情報の送信を要求することによって、サーバは、データベースに記録されている複数の呈示対象情報の中から、対象位置（撮影場所）が現在位置に近い１つまたは複数の呈示対象情報を選択して、当該ユーザの端末に送信する。
【００１５】
さらに、呈示工程では、当該ユーザの端末において、写真画像情報によって写真が表示され、生体情報によって当該ユーザに振動が与えられる、などというように、サーバで選択された呈示対象情報が当該ユーザに呈示される。
【００１６】
したがって、ユーザは、実際に当該の場所に出かけて、または自宅などに居ながら、当該の場所での他の人の状況や状態を体験して、その人との間に緩やかな繋がりを感じることができる。
【００１７】
また、例えば、記録工程では、ユーザ自身が各場所で撮影した写真や、その撮影時のユーザ自身の生体情報が、それぞれ呈示対象情報として、それぞれ撮影場所（対象位置）を特定する位置情報が付加されて、ユーザ自身の端末に記録され、選択工程では、ユーザ自身の端末で現在位置が計測され、またはユーザによって任意の位置が現在位置として指示されることによって、ユーザ自身の端末で、対象位置（撮影場所）が現在位置に近い１つまたは複数の呈示対象情報が選択されるようにすることもできる。
【００１８】
これによれば、ユーザは、実際に当該の場所に出かけて、または自宅などに居ながら、当該の場所での過去の自分の状況や状態を追体験して、思い出を想起することができる。
【発明の効果】
【００１９】
以上のように、この発明によれば、ユーザは、実際に当該の場所に出かけて、または自宅などに居ながら、当該の場所での他の人の状況や状態を体験して、その人との間に緩やかな繋がりを感じることができ、または当該の場所での過去の自分の状況や状態を追体験して、思い出を想起することができる。
【発明を実施するための最良の形態】
【００２０】
［１．システム構成：図１〜図３］
（１−１．システム全体：図１）
図１は、この発明のシステムの一例を示し、多数のユーザ端末がネットワークを介してサーバと接続されて情報提供システムを構成する場合である。
【００２１】
ユーザ端末１１，１２，１３‥‥１７は、それぞれ、例えば、後述のような構成の携帯電話端末であり、一方では、ユーザが各場所で写真を撮影することによって写真画像情報を取得し、かつ、その撮影時のユーザの生体情報を測定取得して、呈示対象情報としてサーバ１００に送信するとともに、他方では、ユーザの指示によってサーバ１００に呈示対象情報の送信を要求し、その要求に応じてサーバ１００から送信された呈示対象情報を呈示するものである。
【００２２】
ユーザ端末は、図１では便宜上、７個しか示していないが、実際上は、それぞれのユーザの物として多数、有するものである。
【００２３】
サーバ１００は、情報提供サービスを行う者によって設置される。ネットワーク２００は、インターネットなどの汎用の広域ネットワーク、または当該の情報提供システムに専用の広域ネットワークで、それぞれのユーザ端末が携帯電話端末である場合には携帯電話用のネットワークを含むものである。
【００２４】
（１−２．ユーザ端末：図２）
図２に、ユーザ端末の一例をユーザ端末１０として示す。
【００２５】
この例のユーザ端末１０は、携帯電話端末であり、ＣＰＵ２１を備え、そのバス２２にＲＯＭ２３およびＲＡＭ２４が接続されて、制御部２５が構成される。
【００２６】
ＲＯＭ２３には、携帯電話端末としての各種プログラムおよび後述の情報提供や情報呈示に係る各種プログラムと、必要な各種データとが格納される。ＲＡＭ２４には、プログラムおよびデータが展開される。
【００２７】
バス２２には、記憶装置部２７および操作部２８が接続される。記憶装置部２７は、記憶容量の大きいディスク状またはカード状の記録媒体や半導体メモリである。操作部２８は、各種ボタン（キー）やダイヤルなどである。
【００２８】
バス２２には、送話用などのマイクロホン３１が、音声処理部３２を介して接続され、受話用や音楽再生用などのスピーカ３３が、音声処理部３４を介して接続される。
【００２９】
音声処理部３２は、マイクロホン３１からのアナログ音声信号を、デジタル音声データに変換し、圧縮するものであり、音声処理部３４は、デジタル音声データを、圧縮されているデータについては伸長して、アナログ音声信号に変換し、スピーカ３３に供給するものである。
【００３０】
バス２２には、ディスプレイ３５が、画像処理部３６を介して接続される。ディスプレイ３５は、液晶ディスプレイや有機ＥＬディスプレイなどであり、画像処理部３６は、ディスプレイ３５上に表示される画像や画面のデータを処理し、ディスプレイ駆動用アナログ信号に変換するものである。
【００３１】
バス２２には、携帯電話端末としての無線通信部３７が接続され、無線通信部３７に、携帯電話用のアンテナ３８が接続される。
【００３２】
また、カメラ付き携帯電話端末として、バス２２には、撮像部４１が画像処理部４２を介して接続される。画像処理部４２は、撮像部４１のＣＣＤ（Ｃｈａｒｇｅ  Ｃｏｕｐｌｅｄ  Ｄｅｖｉｃｅ）撮像素子やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）撮像素子などの固体撮像素子から出力された画像データを処理するものである。
【００３３】
また、ＧＰＳ（Ｇｌｏｂａｌ  Ｐｏｓｉｔｉｏｎｉｎｇ  Ｓｙｓｔｅｍ）による測位機能を有する携帯電話端末として、バス２２には、位置計測部４３が接続され、位置計測部４３に、ＧＰＳ衛星からの信号電波を受信するアンテナ４４が接続される。
【００３４】
さらに、この例では、生体センサ４５が、信号処理部４６を介してバス２２に接続されるとともに、バイブレータ４７が、駆動回路部４８を介してバス２２に接続される。
【００３５】
生体センサ４５は、ユーザの生体情報、例えば脈拍を測定するものである。信号処理部４６は、その脈拍を示す信号を処理して、１分あたりの脈拍数を示すデータを生成するものである。
【００３６】
バイブレータ４７は、駆動回路部４８からの駆動信号によって駆動されて、後述のように生体情報としての脈拍数に応じた周波数の振動を発生し、ユーザに与えるものである。
【００３７】
（１−３．サーバ：図３）
図３に、サーバ１００の一例を示す。
【００３８】
この例では、サーバ１００は、ユーザデータベース１０１、写真データベース１０２、制御部１０３、通信部１０４および検索部１０５を備えるものとして構成される。
【００３９】
ユーザデータベース１０１には、後述のように当該の情報提供システムに登録された各ユーザのＵＩＤ（ユーザ識別情報：ユーザを特定する情報）などが記録される。
【００４０】
写真データベース１０２には、後述のように、各ユーザが撮影した写真の画像情報（画像データ）、撮影場所を示す位置情報、および撮影時のユーザ（撮影者）の生体情報（脈拍数）などが蓄積される。
【００４１】
制御部１０３は、サーバ１００全体を制御するものであり、通信部１０４は、上記のネットワーク２００に接続して各ユーザ端末との間で情報を送受信するものであり、検索部１０５は、制御部１０３の指示によって、ユーザデータベース１０１および写真データベース１０２を検索し、情報を選択抽出するものである。
【００４２】
［２．各ユーザによる写真撮影とサーバへの情報提供：図４および図５］
（２−１．データベースの内容：図４）
上記の情報提供システムでは、各ユーザが、それぞれのユーザ端末によってサーバ１００に、自身と他のユーザとの間の親密度を申告することによって、サーバ１００のユーザデータベース１０１には、図４（Ａ）に示すような内容が登録される。
【００４３】
図４（Ａ）の左側は、あるユーザＡから見た他のユーザＢとの間の親密度として、ＵＩＤ（ユーザ識別情報）が００１のユーザから見た、それぞれＵＩＤが００２，００７‥‥のユーザとの間の親密度を示したものであり、図４（Ａ）の右側は、あるユーザＡから見た他のユーザＢとの間の親密度として、ＵＩＤが００２のユーザから見た、それぞれＵＩＤが００１，００９‥‥のユーザとの間の親密度を示したものである。
【００４４】
親密度は、例えば、親族やごく親しい友人などの場合には、最大値の“３”とし、親密さの程度がそれ以下である場合には、親密さの程度に応じて“２”または“１”とする。
【００４５】
図４（Ａ）は、ＵＩＤが００１のユーザから見た、ＵＩＤが００２のユーザとの間の親密度と、ＵＩＤが００２のユーザから見た、ＵＩＤが００１のユーザとの間の親密度とが、異なる場合である。
【００４６】
サーバ１００の写真データベース１０２には、後述のような各ユーザによる情報提供によって、図４（Ｂ）に示すような内容が蓄積される。
【００４７】
撮影日時は、当該ユーザ（当該ＵＩＤによって特定されるユーザ）によって当該写真（当該の写真ＩＤ（ファイル名などの識別情報）によって特定される写真）が撮影された日時を秒単位まで示すものである。
【００４８】
撮影位置は、当該写真が撮影された場所の、ＧＰＳ測位機能によって計測された緯度および経度（北緯および東経）を示すものである。
【００４９】
生体情報は、当該写真の撮影時の当該ユーザ（撮影者）の脈拍数を示すものである。ただし、生体情報としての脈拍数は、当該写真を撮影した瞬間（シャッタを押した瞬間）のものではなく、当該写真を撮影した直後に測定したもの、または当該写真を撮影する直前に測定してユーザ端末１０に記録しておいたものでもよい。
【００５０】
脈拍数は、一般には、高いほど驚きや興奮が大きく、低いほどリラックスしていることを示す。
【００５１】
写真データベース１０２には、当該の写真ＩＤで特定される当該写真の画像情報（画像データ）も記録される。
【００５２】
（２−２．各ユーザ端末による情報取得および情報提供：図５）
サーバ１００で上記のように写真データベース１０２に情報を蓄積するために、各ユーザは、街中や旅行先などでユーザ端末１０によって写真を撮影したときには、以下のようにユーザ端末１０からサーバ１００に情報を送信する。
【００５３】
図５は、この場合にユーザ端末１０が実行する一連の処理の一例を示す。
【００５４】
まず、ユーザ端末１０は、ステップ５１で、ユーザのシャッタ操作に基づいて、撮像部４１によって写真を撮影し、ＪＰＥＧ（Ｊｏｉｎｔ  Ｐｈｏｔｏｇｒａｐｈｉｃ  Ｅｘｐｅｒｔｓ  Ｇｒｏｕｐ）などの圧縮方式で圧縮された、または非圧縮の写真画像データに撮影日時などの情報が付加された写真画像ファイルを生成する。
【００５５】
次に、ユーザ端末１０は、ステップ５２で、位置計測部４３によって撮影位置を計測し、撮影位置を示す位置情報を取得する。
【００５６】
次に、ユーザ端末１０は、ステップ５３で、生体センサ４５によってユーザ（撮影者）の生体情報として脈拍を測定し、脈拍数を取得する。
【００５７】
次に、ユーザ端末１０は、ステップ５４で、ＵＩＤ、ステップ５２で取得された撮影位置情報、ステップ５３で取得された生体情報（脈拍数）、およびステップ５１で生成された写真画像ファイルを、無線通信部３７およびアンテナ３８によって、ネットワーク２００を通じてサーバ１００に送信する。
【００５８】
サーバ１００は、このように各ユーザのユーザ端末から、その都度、送信された情報を、その都度、受信して、写真データベース１０２に蓄積する。
【００５９】
［３．ユーザ端末からの情報要求とユーザ端末での情報呈示：図６〜図１２］
図１の情報提供システムでは、図４（Ｂ）のようにサーバ１００の写真データベース１０２に情報が蓄積されている状態で、以下のように、あるユーザがサーバ１００に呈示対象情報の送信を要求すると、サーバ１００は、呈示対象情報を選択して、要求元のユーザ端末に送信し、要求元のユーザ端末は、その呈示対象情報をユーザに呈示する。
【００６０】
（３−１．リアルな移動による場合の一連の処理：図６および図７）
呈示対象情報の送信を要求する方法としては、
（ａ）ユーザがユーザ端末１０を携帯して実際に移動し、ある場所でユーザ端末１０に現在位置を計測させ、呈示対象情報の取得および呈示を指示する方法、
および、
（ｂ）ユーザが実際に移動することなく、自宅などに居ながら、例えば、ユーザ端末１０のディスプレイ３５上に地図を表示させ、ポインタやカーソルによって、その地図上のある場所を現在位置として指示して、ユーザ端末１０に呈示対象情報の取得および呈示を指示する方法、
が考えられる。
【００６１】
以下では、上記（ａ）をリアルな移動とし、上記（ｂ）をバーチャルな移動として、リアルな移動による場合を先に示し、バーチャルな移動による場合を後で示す。
【００６２】
図６および図７に、リアルな移動による場合に要求元のユーザ端末（ユーザ端末１０とする）およびサーバ１００が実行する一連の処理の一例を示す。
【００６３】
まず、ユーザ端末１０は、ユーザが呈示対象情報の取得および呈示を指示することによって、ステップ６１で、位置計測部４３によって現在位置を計測し、現在位置を示す位置情報を取得する。
【００６４】
次に、ユーザ端末１０は、ステップ６２で、生体センサ４５によってユーザの生体情報として脈拍を測定し、脈拍数を取得する。
【００６５】
次に、ユーザ端末１０は、ステップ６３で、ＵＩＤ、ステップ６１で取得された現在位置情報、およびステップ６２で取得された生体情報（脈拍数）を、無線通信部３７およびアンテナ３８によって、ネットワーク２００を通じてサーバ１００に送信して、サーバ１００に呈示対象情報の送信を要求する。
【００６６】
サーバ１００は、ステップ１１１で、その送信された各情報を受信し、次にステップ１１２で、ユーザデータベース１０１から、当該ユーザ（要求元のユーザ）から見て他のユーザのリストを取得する。
【００６７】
当該ユーザのＵＩＤが００１であるとすると、図４（Ａ）の左側に示すようなリストが取得され、当該ユーザのＵＩＤが００２であるとすると、図４（Ａ）の右側に示すようなリストが取得される。
【００６８】
次に、サーバ１００は、ステップ１１３で、写真データベース１０２から、そのリストに存在する他のユーザが撮影した写真のリストを抽出する。
【００６９】
次に、サーバ１００は、ステップ１１４で、後述のような定められた判断基準に従って、そのリストに搭載されている写真の中から、送信する写真を選択する。
【００７０】
次に、サーバ１００は、ステップ１１５で、その選択した各写真についての、撮影者ＵＩＤ、撮影日時情報、撮影位置情報、生体情報（脈拍数）および写真画像データを、要求元のユーザ端末（ユーザ端末１０とする）に送信する。
【００７１】
ユーザ端末１０は、ステップ６５で、その送信された各情報を受信し、次にステップ６６で、後述の方法によって呈示対象情報を呈示する。
【００７２】
（３−２．サーバでの呈示対象情報の選択：図８）
図６のステップ１１４でのサーバ１００における情報（写真）選択のための判断基準としては、それぞれの写真画像情報に付加されている撮影位置情報で示される、それぞれの写真の撮影位置と、要求元のユーザ端末から送信された現在位置情報で示される現在位置との間の物理的距離を、判断要素の少なくとも１つとする。
【００７３】
図８（Ａ）に示すように、ある点（位置）Ｐの経度（東経）および緯度（北緯）をλ１およびφ１とし、別の点Ｑの経度および緯度をλ２およびφ２とすると、点Ｐ，Ｑ間の物理的距離Ｌ、および点Ｑの点Ｐに対する方位角θは、それぞれ図８（Ｂ）の式（１１）および式（１２）で表される。
【００７４】
式（１１）および式（１２）中のΔｘおよびΔｙは、それぞれ図８（Ｂ）の式（３）および式（４）で表され、式（３）および式（４）中のΔλおよびΔφは、それぞれ図８（Ａ）の式（１）および式（２）で表される。
【００７５】
＜第１の例＞
判断要素としては、第１の例として、図８（Ｂ）の式（１１）で表される物理的距離Ｌと、上記の親密度Ｄとを用いる。
【００７６】
具体的に、図８（Ｃ）の式（２１）で表される値Ｌａを評価上の距離として、この距離Ｌａが所定値Ｌｏ以下の写真を選択する。Ｌｏは、例えば１ｋｍとする。
【００７７】
これによれば、要求元のユーザから見た親密度Ｄが“３”の他のユーザが撮影した写真は、物理的距離Ｌが３Ｌｏ以下の写真まで、すなわち現在位置からより離れた位置で撮影された写真まで、選択呈示されるのに対して、要求元のユーザから見た親密度Ｄが“１”の他のユーザが撮影した写真は、物理的距離ＬがＬｏ以下の写真しか、すなわち現在位置に近い位置で撮影された写真しか、選択表示されないことになる。
【００７８】
＜第２の例＞
判断要素としては、第２の例として、式（１１）で表される物理的距離Ｌと、要求元のユーザの写真に対する嗜好度（興味の程度）Ｅとを用いる。
【００７９】
この場合、各ユーザは、あらかじめ、または情報要求時、サーバ１００に対して嗜好度Ｅを申告する。嗜好度Ｅも、例えば、３，２，１の３段階とされる。
【００８０】
具体的に、図８（Ｃ）の式（２２）で表される値Ｌａを評価上の距離として、この距離Ｌａが所定値Ｌｏ以下の写真を選択する。
【００８１】
これによれば、要求元のユーザの写真に対する嗜好度Ｅが“３”である場合には、物理的距離Ｌが３Ｌｏ以下の写真まで、すなわち現在位置からより離れた位置で撮影された写真まで、選択呈示されるのに対して、要求元のユーザの写真に対する嗜好度Ｅが“１”である場合には、物理的距離ＬがＬｏ以下の写真しか、すなわち現在位置に近い位置で撮影された写真しか、選択表示されないことになる。
【００８２】
＜第３の例＞
判断要素としては、第３の例として、式（１１）で表される物理的距離Ｌと、上記の嗜好度Ｅおよび親密度Ｄとを用いる。
【００８３】
具体的に、図８（Ｃ）の式（２３）または式（２４）で表される値Ｌａを評価上の距離として、この距離Ｌａが所定値Ｌｏ以下の写真を選択する。
【００８４】
これによれば、例えば、要求元のユーザの写真に対する嗜好度Ｅが“２”である場合、要求元のユーザから見た親密度Ｄが“３”の他のユーザが撮影した写真は、式（２３）によるときには、物理的距離Ｌが５Ｌｏ以下の写真まで選択呈示され、式（２４）によるときには、物理的距離Ｌが６Ｌｏ以下の写真まで選択呈示される。
【００８５】
（３−３．情報呈示方法：図９〜図１２）
ユーザ端末での写真や生体情報の呈示方法としては、以下のように、空間表現による方法、振動伝達や発光による方法、これらを組み合わせた方法、などを用いることができる。
【００８６】
＜第１の例：図９＞
図９に、第１の例を示す。
【００８７】
この例では、表示画面３５ａの上部に地図７１を、現在位置として計測された位置が地図７１の中心位置となるように表示し、その地図７１上の中心位置（現在位置）に、当該ユーザ（要求元のユーザ）を示すキャラクタ７３を表示し、地図７１上の各写真が撮影された位置に、カメラアイコン７７ａ，７７ｂ‥‥を表示し、カメラアイコン７７ａ，７７ｂ‥‥に重ねて、当該写真を撮影したユーザの当該写真を撮影した時の生体情報（脈拍数）から判断される感情（喜んでいる、怒っている、悲しんでいる、など）を示すアイコン７５ａ，７５ｂ‥‥を表示する。ユーザの違いは、例えば、カメラアイコンの色の違いによって表示される。
【００８８】
また、この例では、表示画面３５ａの下部に、写真１ａ，１ｂ，１ｃ‥‥が表示される。写真は、例えば、上記の評価上の距離Ｌａが近い順に、または撮影日時が近い順に、表示される。
【００８９】
さらに、この例では、当該ユーザが居る位置（現在位置）に最も近い位置で写真を撮影したユーザの、または当該ユーザがカメラアイコンや写真を指示することによって選択したユーザの、撮影時の脈拍数を、上記のバイブレータ４７によって振動として当該ユーザに伝達する。
【００９０】
この場合、例えば、脈拍数が多いほど、振動の周期を短く（振動周波数を高く）する。例えば、振動の周期を脈拍の周期と同じにする。
【００９１】
また、この場合、上記の親密度Ｄが高いほど、または物理的距離Ｌが小さいほど、振動を強くするなど、親密度Ｄや物理的距離Ｌに応じて振動のパターンを変えると、当該ユーザに強い印象を与えることができ、例えば、当該ユーザが他のユーザが写真を撮影した場所を通りかかると、そのことを教えてくれるレーダーのような役割を果たすようになる。
【００９２】
さらに、この場合、当該ユーザの写真に対する嗜好度Ｅに応じて振動のパターンを変えるようにしてもよい。
【００９３】
図９の例は、感情を示すアイコンを表示する場合であるが、これに代えて、またはこれに加えて、写真を撮影したユーザを示すキャラクタを表示してもよい。ユーザのキャラクタを表示するためのデータは、あらかじめ当該ユーザ端末に記憶され、またはサーバ１００から当該ユーザ端末に送信される。
【００９４】
また、図９の例は、現在位置が地図７１の中心位置となるように地図７１を表示する場合であるが、例えば、当該ユーザが北の方向に移動しているときには、現在位置が地図の中心位置より南側となって、地図として現在位置の北側のエリアが広範囲に表示され、当該ユーザが東の方向に移動しているときには、現在位置が地図の中心位置より西側となって、地図として現在位置の東側のエリアが広範囲に表示されるように、当該ユーザの移動方向に応じて地図上の現在位置を変えるようにしてもよい。
【００９５】
＜第２の例：図１０＞
図１０に、第２の例を示す。
【００９６】
この例では、図９の例と同様に、表示画面上に地図７１を、現在位置として計測された位置が地図７１の中心位置となるように表示し、その地図７１上の中心位置に、当該ユーザを示すキャラクタ７３を表示し、地図７１上の、当該ユーザが居る位置（現在位置）に近い、各写真が撮影された位置に、カメラアイコン７７ｕ，７７ｖ，７７ｗ、および当該写真を撮影したユーザを示すキャラクタ７５ｕ，７５ｖ，７５ｗを表示するとともに、キャラクタ７３とキャラクタ７５ｕ，７５ｖ，７５ｗとを、それぞれライン７９ｕ，７９ｖ，７９ｗで結ぶ。
【００９７】
各写真は、例えば、図９の例と同様に、地図７１の下方に表示する。生体情報（脈拍数）の呈示は、例えば、図９の例と同じである。
【００９８】
この場合、上記の親密度Ｄが高いほど、または物理的距離Ｌが小さいほど、ラインを太くし、またはラインを目立つ明るさや色にするなど、親密度Ｄや物理的距離Ｌに応じてラインのパターンを変え、あるいは、親密度Ｄが高いほど、または物理的距離Ｌが小さいほど、キャラクタを大きくし、またはキャラクタを目立つ明るさや色にするなど、親密度Ｄや物理的距離Ｌに応じてキャラクタのパターンを変えると、親密度Ｄが高いことや、物理的距離Ｌが小さいことを、当該ユーザに強く印象づけることができる。
【００９９】
また、この場合、例えば、当該ユーザが居る位置（現在位置）に対して所定距離内の位置で写真を撮影したユーザ、または当該ユーザが居る位置に最も近い位置で写真を撮影したユーザにつき、そのキャラクタを動かすようにしてもよい。
【０１００】
さらに、この場合、当該ユーザの写真に対する嗜好度Ｅに応じて、ラインやキャラクタのパターンを変えるようにしてもよい。
【０１０１】
＜第３の例：図１１＞
図９および図１０の例は、地図を表示する場合であるが、図１１に、地図表示によらない空間表現として、情報をレーダー状に表示する場合の一例を示す。
【０１０２】
この例では、表示画面上に円８１ａを表示し、円８１ａの中心Ｐｃを当該ユーザが居る位置（現在位置）として、円８１ａの中心Ｐｃに当該ユーザを示すキャラクタ７３を表示するとともに、円８１ａの内側に円８１ａと同心の円８１ｂおよび８１ｃを表示し、円８１ａの内側の、各写真が撮影された位置の当該ユーザが居る位置に対する方位および距離に応じた位置に、カメラアイコン７７ｘ，７７ｙを表示し、カメラアイコン７７ｘ，７７ｙの近傍位置に、当該写真を撮影したユーザを示すキャラクタ７５ｘ，７５ｙを表示する。
【０１０３】
この例によれば、当該ユーザは、誰が、自分が居る位置に対して、どの方位の、どの程度離れた位置で、写真を撮影したかを、ひと目で知ることができる。
【０１０４】
図１１では省略したが、各写真は、例えば、表示画面上の円８１ａの下方に表示する。生体情報（脈拍数）の呈示は、例えば、図９の例と同じである。
【０１０５】
図１１の例は、写真を撮影したユーザのキャラクタを表示する場合であるが、これに代えて、またはこれに加えて、カメラアイコンに重ねて、写真を撮影したユーザの写真を撮影した時の生体情報（脈拍数）から判断される感情を示すアイコンを表示してもよい。
【０１０６】
＜第４の例：図１２＞
図１２に、地図表示によらない空間表現として、情報をレーダー状に表示する場合の他の例を示す。
【０１０７】
図１２（Ａ）は、当該ユーザ（要求元のユーザ）の生体情報（脈拍数）から、当該ユーザが怒っていると判断される場合であり、図１２（Ｂ）は、当該ユーザの生体情報から、当該ユーザが悲しんでいると判断される場合である。
【０１０８】
図１２（Ａ）の例では、表示画面上に円８１を表示し、円８１の中心を当該ユーザが居る位置（現在位置）として、円８１の中心に当該ユーザが怒っていることを示すアイコン８３を表示するとともに、円８１の内側の、それぞれ生体情報から怒っていると判断される他のユーザが写真を撮影した位置の当該ユーザが居る位置に対する方位および距離に応じた位置に、それぞれ他のユーザが怒っていることを示すアイコン８５ａ，８５ｂ，８５ｃおよび８５ｄを表示する。
【０１０９】
図１２（Ｂ）の例では、表示画面上に円８１を表示し、円８１の中心を当該ユーザが居る位置（現在位置）として、円８１の中心に当該ユーザが悲しんでいることを示すアイコン８７を表示するとともに、円８１の内側の、それぞれ生体情報から悲しんでいると判断される他のユーザが写真を撮影した位置の当該ユーザが居る位置に対する方位および距離に応じた位置に、それぞれ他のユーザが悲しんでいることを示すアイコン８９ａ，８９ｂ，８９ｃ，８９ｄおよび８９ｅを表示する。
【０１１０】
図１２の例によれば、当該ユーザは、自分と同じ感情を持った他のユーザが、自分が居る位置に対して、どの方位の、どの程度離れた位置で、写真を撮影したかを、ひと目で知ることができる。
【０１１１】
図１２では省略したが、各写真は、例えば、表示画面上の円８１の下方に表示する。
【０１１２】
＜他の例＞
生体情報については、例えば、図９、図１０または図１１の例で、当該ユーザが居る位置（現在位置）に最も近い位置で写真を撮影したユーザの、または当該ユーザがカメラアイコン、感情アイコン、キャラクタまたは写真を指示することによって選択したユーザの、撮影時の脈拍数を、上記のようにバイブレータ４７によって振動として呈示する代わりに、図２では省略したＬＥＤ（発光ダイオード）などの発光素子によって光の点滅として呈示するようにしてもよい。
【０１１３】
この場合、例えば、脈拍数が多いほど、点滅の周期を短くする。例えば、点滅の周期を脈拍の周期と同じにする。
【０１１４】
また、この場合、上記の親密度Ｄが高いほど、または物理的距離Ｌが小さいほど、発光強度を強くするなど、親密度Ｄや物理的距離Ｌに応じて発光のパターンを変えると、当該ユーザに強い印象を与えることができる。
【０１１５】
（３−４．バーチャルな移動による場合）
上記の例は、リアルな移動による場合、すなわち、上記（ａ）のように、ユーザがユーザ端末１０を携帯して実際に移動し、ある場所でユーザ端末１０に現在位置を計測させ、呈示対象情報の取得および呈示を指示する場合であるが、バーチャルな移動による場合、すなわち、上記（ｂ）のように、ユーザが実際に移動することなく、自宅などに居ながら、例えば、ユーザ端末１０のディスプレイ３５上に地図を表示させ、ポインタやカーソルによって、その地図上のある場所を現在位置として指示して、ユーザ端末１０に呈示対象情報の取得および呈示を指示する場合も、同様である。
【０１１６】
具体的に、この場合、当該ユーザは、ディスプレイ３５上に地図を表示させて、地図上で任意の位置を指示し、または、地図を表示させることなく、文字入力や音声入力によって、「北緯３５°５８′、東経１３９°７５′」または「銀閣寺」などというように任意の位置を指示する。
【０１１７】
これによって、ユーザ端末１０の制御部２５は、図６のステップ６１で、その指示された位置を現在位置として、上記の例と同様に以後の処理を実行し、サーバ１００も、上記の例と同様に処理を実行する。
【０１１８】
ユーザ端末１０でのサーバ１００から送信された情報の呈示も、上記の例と同じである。
【０１１９】
したがって、当該ユーザは、自宅などに居ながら、上記のように実際に移動する場合と同様に、それぞれの場所での他の人の状況や状態を体験して、その人との間に緩やかな繋がりを感じることができる。
【０１２０】
［４．システムおよび方法の他の実施形態：図２および図１３］
上述した実施形態は、多数のユーザ端末がネットワーク２００を介してサーバ１００と接続されて情報提供システムを構成し、あるユーザ端末がサーバ１００に情報の提供を要求することによってサーバ１００から当該ユーザ端末に情報が送信され、当該ユーザ端末において情報が呈示される場合であるが、この発明は、このようなネットワークシステムではなく、ユーザ端末のみによってシステムを構成する場合にも適用することができる。
【０１２１】
この場合のユーザ端末は、携帯電話端末やＰＣなどとすることができ、携帯電話端末とする場合には、図２に示したような構成として、その記憶装置部２７をデータベースとする。
【０１２２】
すなわち、この場合、ユーザ端末１０の記憶装置部２７には、ユーザ自身が撮影した写真の画像情報（画像データ）が複数、それぞれ、撮影場所を示す位置情報、および撮影時のユーザ自身の生体情報（脈拍数）が付加されて蓄積される。
【０１２３】
この場合のユーザのユーザ端末１０に対する情報呈示の指示としても、リアルな移動による場合とバーチャルな移動による場合とが考えられる。
【０１２４】
リアルな移動による場合には、ユーザが情報呈示を指示することによって、ユーザ端末１０は、位置計測部４３によって現在位置を計測して、以後の処理を実行する。
【０１２５】
バーチャルな移動による場合には、上記のようにユーザが任意の位置を指示することによって、ユーザ端末１０は、その指示された位置を現在位置として、以後の処理を実行する。
【０１２６】
以後の処理は、図１の情報提供システムでサーバ１００が実行する処理も全てユーザ端末１０が実行する点を除いて、上述した実施形態と同じである。
【０１２７】
図１３に、この場合の情報呈示方法の一例を示す。この例は、ユーザが、表示画面３５ａ上に、過去にユーザ自身が行って写真を撮影した地域の地図９１を表示させた場合である。
【０１２８】
このとき、ユーザ端末１０は、地図９１上のユーザが写真を撮影した各位置に、カメラアイコン９７ｐ，９７ｑ‥‥を表示し、カメラアイコン９７ｐ，９７ｑ‥‥に重ねて、当該写真を撮影した時のユーザの生体情報（脈拍数）から判断される感情を示すアイコン９５ｐ，９５ｑ‥‥を表示する。
【０１２９】
この状態で、ユーザが、あるカメラアイコンまたは感情アイコンを指示すると、例えば、地図９１上に、当該の指示されたアイコンに対応する写真３がポップアップ表示されるとともに、その写真３を撮影した時のユーザの脈拍数が、上記のバイブレータ４７によって振動として、またはＬＥＤなどの発光素子によって光の点滅として、呈示される。
【０１３０】
さらに、この例では、ユーザが写真を撮影しながら移動したルート（軌跡）がライン９９によって地図９１上に表示され、ユーザがライン９９を指示すると、そのルートの各位置で撮影された写真が順次、地図９１上にポップアップ表示されると同時に、ルートの各位置で写真を撮影した時のユーザの脈拍数が順次、上記のバイブレータ４７によって振動として、またはＬＥＤなどの発光素子によって光の点滅として、呈示される。
【０１３１】
したがって、ユーザは、実際に当該の場所に出かけて、または自宅などに居ながら、当該の場所での過去の自分の状況や状態を追体験して、思い出を想起することができる。
【０１３２】
［５．呈示対象情報の他の例］
上記の例は、呈示対象情報の１つとして、撮影された写真を呈示する場合であるが、撮影された動画を呈示するようにしてもよい。
【０１３３】
また、上記の例は、生体情報として脈拍を測定し、脈拍数を振動や光の点滅によって呈示する場合であるが、生体情報としては、そのほか、心拍、心電図、筋電、呼吸、発汗、ＧＳＲ、血圧、血中酸素飽和濃度、皮膚表面温度、脈波、血流変化、体温などの生理的・生化学的な情報、または、歩行や走行のテンポやリズム、頭の動き、眼の動き、身体全体の動き、身体の重心位置などの体動的な情報を、測定し呈示するようにしてもよい。
【０１３４】
さらに、呈示対象情報は、写真などの画像と生体情報とのいずれか一方でもよく、また、位置情報によって特定される対象位置での人の行動または状況によって得られた情報であれば、写真などの画像または生体情報に限らない。
【図面の簡単な説明】
【０１３５】
【図１】この発明のシステムの一例を示す図である。
【図２】ユーザ端末の一例を示す図である。
【図３】サーバの一例を示す図である。
【図４】サーバのデータベースの内容の一例を示す図である。
【図５】ユーザ端末が実行する情報取得および情報提供の処理の一例を示す図である。
【図６】ユーザ端末が情報を取得呈示する場合にユーザ端末およびサーバが実行する一連の処理の一例の一部を示す図である。
【図７】ユーザ端末が情報を取得呈示する場合にユーザ端末およびサーバが実行する一連の処理の一例の一部を示す図である。
【図８】サーバでの情報選択の説明に供する図である。
【図９】情報呈示方法の第１の例を示す図である。
【図１０】情報呈示方法の第２の例を示す図である。
【図１１】情報呈示方法の第３の例を示す図である。
【図１２】情報呈示方法の第４の例を示す図である。
【図１３】情報呈示方法の他の例を示す図である。
【符号の説明】
【０１３６】
主要部については図中に記述したので、ここでは省略する。
【図１】
2009187233.tif 000003
【図２】
2009187233.tif 000004
【図３】
2009187233.tif 000005
【図４】
2009187233.tif 000006
【図５】
2009187233.tif 000007
【図６】
2009187233.tif 000008
【図７】
2009187233.tif 000009
【図８】
2009187233.tif 000010
【図９】
2009187233.tif 000011
【図１０】
2009187233.tif 000012
【図１１】
2009187233.tif 000013
【図１２】
2009187233.tif 000014
【図１３】
2009187233.tif 000015